Podtech/llm-jp-corpus-v4-ja_patent huggingface dataset:
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口を通過することに基づいて抽選を行い、該抽選の結果に基づいて図柄の変動表示を行い、該図柄の変動表示の結果として当り結果が導出された場合に所定の当り遊技を実行する遊技機において、
特定状態中に当該遊技機の裏面側に設けられた設定操作部に対する操作に基づいて、前記当り結果が導出される確率に関する設定情報を設定可能な設定手段と、
所定の磁気センサにより磁気が検知された場合に、磁気異常報知を行う磁気異常報知手段と、を備え、
前記特定状態にて管理者により前記設定操作部が操作されているときには、前記磁気異常報知が行われないようにした
ことを特徴とする遊技機。
【手続補正２】
【補正対象書類名】明細書
【補正対象項目名】０００６
【補正方法】変更
【補正の内容】
【０００６】
上記した目的を達成するために、請求項１に係る発明においては、
遊技球が流下可能な遊技領域が形成された遊技盤を備え、前記遊技領域を流下した遊技球が所定の始動口を通過することに基づいて抽選を行い、該抽選の結果に基づいて図柄の変動表示を行い、該図柄の変動表示の結果として当り結果が導出された場合に所定の当り遊技を実行する遊技機において、
特定状態中に当該遊技機の裏面側に設けられた設定操作部に対する操作に基づいて、前記当り結果が導出される確率に関する設定情報を設定可能な設定手段と、
所定の磁気センサにより磁気が検知された場合に、磁気異常報知を行う磁気異常報知手段と、を備え、
前記特定状態にて管理者により前記設定操作部が操作されているときには、前記磁気異常報知が行われないようにした
ことを特徴とする。
【手続補正３】
【補正対象書類名】明細書
【補正対象項目名】０００７
【補正方法】変更
【補正の内容】
【０００７】
管理者等が遊技機を開放して設定に関する作業を行っている場合に、管理者の作業に起因して磁気異常報知が行われなることを防止し、設定に関する作業の阻害を抑制することができる（例えば、段落１８１６等の記載を参照）。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果に基づいて図柄の変動表示を行い、該図柄の変動表示の結果として当り結果が導出された場合に所定の当り遊技を実行する遊技機において、
遊技制御を行う主制御手段と、
前記主制御手段から送信される指令情報に基づき演出に関する制御を行う周辺制御手段と、を備え、
前記主制御手段は、  
所定の設定操作部に対する操作に基づいて、遊技に関する設定情報を決定可能な設定情報決定手段を備え、
前記主制御手段から前記周辺制御手段に前記指令情報を送信する場合に、前記設定情報決定手段により決定された前記設定情報を送信し得る
ことを特徴とする遊技機。
【手続補正２】
【補正対象書類名】明細書
【補正対象項目名】０００６
【補正方法】変更
【補正の内容】
【０００６】
そこで、本発明は、上記の実情に鑑み、遊技興趣の低下を抑制することを課題とするものである。
【手続補正３】
【補正対象書類名】明細書
【補正対象項目名】０００７
【補正方法】変更
【補正の内容】
【０００７】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記した目的を達成するために、請求項１に係る発明においては、
所定の始動条件の成立に基づいて抽選を行い、該抽選の結果に基づいて図柄の変動表示を行い、該図柄の変動表示の結果として当り結果が導出された場合に所定の当り遊技を実行する遊技機において、
遊技制御を行う主制御手段と、
前記主制御手段から送信される指令情報に基づき演出に関する制御を行う周辺制御手段と、を備え、
前記主制御手段は、  
所定の設定操作部に対する操作に基づいて、遊技に関する設定情報を決定可能な設定情報決定手段を備え、
前記主制御手段から前記周辺制御手段に前記指令情報を送信する場合に、前記設定情報決定手段により決定された前記設定情報を送信し得る
ことを特徴とする。
【手続補正４】
【補正対象書類名】明細書
【補正対象項目名】０００９
【補正方法】変更
【補正の内容】
【０００９】
本発明によれば、遊技興趣の低下を抑制することができる。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
遊技媒体が転動可能な遊技領域と、遊技媒体が転動不能な非遊技領域とを区画する外レールと、
前記外レールよりも後側に設けられ、正面視において、前記外レールによって区画された前記遊技領域と前記非遊技領域に跨った装飾体と、
を具備していることを特徴とする遊技機。
【手続補正２】
【補正対象書類名】明細書
【補正対象項目名】０００３
【補正方法】変更
【補正の内容】
【０００３】
この種の遊技機では、打ち込まれる遊技媒体を遊技領域へと導くために外レールが設けられている（例えば、特許文献１）。
【手続補正３】
【補正対象書類名】明細書
【補正対象項目名】０００４
【補正方法】変更
【補正の内容】
【０００４】
しかしながら、特許文献１のように外レールが設けられていると、外レールの内側だけに遊技者が注目し、遊技機としてのインパクトに欠けてしまうという問題があった。
【手続補正４】
【補正対象書類名】明細書
【補正対象項目名】０００６
【補正方法】変更
【補正の内容】
【０００６】
そこで、本発明は、上記の実情に鑑み、遊技領域を大きく見せる工夫が施された遊技機の提供を課題とするものである。
【手続補正５】
【補正対象書類名】明細書
【補正対象項目名】０００７
【補正方法】変更
【補正の内容】
【０００７】
上記課題を解決するために本発明の遊技機は、請求項１において、遊技媒体が転動可能な遊技領域と、遊技媒体が転動不能な非遊技領域とを区画する外レールと、前記外レールよりも後側に設けられ、正面視において、前記外レールによって区画された前記遊技領域と前記非遊技領域に跨った装飾体と、を具備していることを特徴とする。
【手続補正６】
【補正対象書類名】明細書
【補正対象項目名】０００８
【補正方法】変更
【補正の内容】
【０００８】
また、その他の手段として下記手段を採用してもよい。
手段１：遊技機において、
「遊技領域の外周を区画している透明枠状の前構成部材と、
該前構成部材よりも後側に設けられ、正面視において、前記遊技領域内から該遊技領域外まで延びている装飾体と
を具備している」ものであることを特徴とする。
ここで、「遊技領域」としては、「遊技者の操作によって遊技媒体が打込まれ、遊技媒体の受入れに応じて遊技媒体の払出しを含む特典が付与される複数の受入口を有している領域」、「夫々に複数の図柄が備えられており、遊技媒体の投入を契機として遊技者の始動操作により夫々が回転させられると共に、遊技者の停止操作により停止した図柄の組合せに応じて遊技媒体の払出しを含む特典が付与される複数の回胴体が配置されている領域」、等が挙げられる。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記遊技板の前面と前後方向において同じ位置で延出される前記延設部の先端辺は、前記延設部が延出される箇所の前記センター役物の前記周壁部の形状と異なる形状を有する
ことを特徴とする遊技機。
【手続補正２】
【補正対象書類名】明細書
【補正対象項目名】０００２
【補正方法】変更
【補正の内容】
【０００２】
パチンコ機等の遊技機では、遊技領域内において遊技媒体が流通可能な流通領域と流通不能な非流通領域とに区画する枠状のセンター役物を有しており、非流通領域となるセンター役物の枠内を通して、後方に設けられている演出装置による演出画像や可動体等を視認できるようにしたものが提案されている（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２０１７−０７４４３４号公報
【手続補正６】
【補正対象書類名】明細書
【補正対象項目名】０００６
【補正方法】変更
【補正の内容】
【０００６】
このような遊技機におけるセンター役物では、その強度とセンター役物後方の装飾の視認性との両立ができていない場合、遊技興趣の低下を招くおそれがある。
そこで、本発明は、上記の実情に鑑み、遊技興趣の低下を抑制可能な遊技機の提供を課題とするものである。
【手続補正７】
【補正対象書類名】明細書
【補正対象項目名】０００７
【補正方法】変更
【補正の内容】
【０００７】
上記課題を解決するために本発明の遊技機は、
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記遊技板の前面と前後方向において同じ位置で延出される前記延設部の先端辺は、前記延設部が延出される箇所の前記センター役物の前記周壁部の形状と異なる形状を有する
ことを特徴とする。
【手続補正８】
【補正対象書類名】明細書
【補正対象項目名】０００８
【補正方法】変更
【補正の内容】
【０００８】
また、その他の手段として下記手段を採用してもよい。
手段１：遊技機において、
「停止位置を複数有している可動体と、
該可動体の任意の前記停止位置への移動の検知に必要な最小限の数よりも多く設けられ、前記可動体の位置を検知するための複数のセンサと
を具備している」ものであることを特徴とする。
ここで、「可動体」としては、「回転するもの」、「周回するもの」、「直線状に移動するもの」、「円弧状に移動するもの」、「曲線状の移動するもの」、等が挙げられる。また、可動体としては、ＬＥＤや電球等の発光手段が設けられていても良い。更に、可動体としては、複数の停止位置と一緒に、移動できるようにしても良い。
【手続補正９】
【補正対象書類名】明細書
【補正対象項目名】００６７
【補正方法】変更
【補正の内容】
【００６７】
このように、本発明によれば、遊技の興趣の低下を抑制することが可能な遊技機を提供することができる。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記センター役物は、前記周壁部および前記フランジ部も透明な部材により構成され、前記流通領域と前記非流通領域とに跨る前記装飾を前記周壁部、前記フランジ部および前記延設部を介して視認可能である
ことを特徴とする遊技機。
【手続補正２】
【補正対象書類名】明細書
【補正対象項目名】０００２
【補正方法】変更
【補正の内容】
【０００２】
パチンコ機等の遊技機では、遊技領域内において遊技媒体が流通可能な流通領域と流通不能な非流通領域とに区画する枠状のセンター役物を有しており、非流通領域となるセンター役物の枠内を通して、後方に設けられている演出装置による演出画像や可動体等を視認できるようにしたものが提案されている（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２０１７−０７４４３４号公報
【手続補正６】
【補正対象書類名】明細書
【補正対象項目名】０００６
【補正方法】変更
【補正の内容】
【０００６】
このような遊技機におけるセンター役物では、その強度とセンター役物後方の装飾の視認性との両立ができていない場合、遊技興趣の低下を招くおそれがある。
そこで、本発明は、上記の実情に鑑み、遊技興趣の低下を抑制可能な遊技機の提供を課題とするものである。
【手続補正７】
【補正対象書類名】明細書
【補正対象項目名】０００７
【補正方法】変更
【補正の内容】
【０００７】
上記課題を解決するために本発明の遊技機は、
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記センター役物は、前記周壁部および前記フランジ部も透明な部材により構成され、前記流通領域と前記非流通領域とに跨る前記装飾を前記周壁部、前記フランジ部および前記延設部を介して視認可能である
ことを特徴とする。
【手続補正８】
【補正対象書類名】明細書
【補正対象項目名】０００８
【補正方法】変更
【補正の内容】
【０００８】
また、その他の手段として下記手段を採用してもよい。
手段１：遊技機において、
「遊技ホールの島設備に取付けられ、前方へ開放された箱枠状のベース本体と、
該ベース本体の内部に設けられており、所定の遊技が行われる遊技領域と、
該遊技領域を前方から視認可能に閉鎖する遊技窓を有しており、前記ベース本体に対して開閉可能に設けられている扉枠と、を備えた遊技機であって、
前記扉枠は前記遊技機の自立を補助するように構成されている」
ものであることを特徴とする。
ここで、所定の「遊技」としては、「遊技者が有利となる有利遊技状態を発生させるための特別抽選が行われる所定の受入口（例えば、始動口、可変始動口、等）を狙って遊技媒体を打込み、所定の受入口への遊技媒体の受入れにより有利遊技状態が発生する特別抽選結果が抽選されると、遊技媒体の受入れにより所定数の遊技媒体を払出す特定の受入口（例えば、可変入賞口、大入賞口、役物入賞口、等）が開放されるため、特定の受入口を狙って遊技媒体を打込む遊技」、「遊技媒体の払出しを含む特典が付与される受入口（例えば、一般入賞口、始動口、大入賞口、役物入賞口、Ｖ入賞口、等）を狙って遊技媒体を打込む遊技」、「遊技媒体を投入した上で、夫々に複数の図柄が備えられた複数の図柄列（例えば、回胴体）を変動表示（例えば、回転）させた後に、遊技媒体の払出しを含む特典が付与される図柄の組合せとなるように夫々の図柄列の変動表示を停止させる遊技」、等が挙げられる。上記の「遊技媒体」としては、「球形状のもの（遊技球）」、「円盤状のもの（メダル）」、等が挙げられる。
【手続補正９】
【補正対象書類名】明細書
【補正対象項目名】００７７
【補正方法】変更
【補正の内容】
【００７７】
このように、本発明によれば、遊技の興趣の低下を抑制することが可能な遊技機を提供することができる。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記遊技板の前面と前後方向において同じ位置で延出される前記延設部の先端辺は、前記延設部が延出される箇所の前記センター役物の前記周壁部の形状と異なる形状を有し、
前記センター役物は、前記周壁部および前記フランジ部も透明な部材により構成され、前記流通領域と前記非流通領域とに跨る前記装飾を前記周壁部、前記フランジ部および前記延設部を介して視認可能である
ことを特徴とする遊技機。
【手続補正２】
【補正対象書類名】明細書
【補正対象項目名】０００２
【補正方法】変更
【補正の内容】
【０００２】
パチンコ機等の遊技機では、遊技領域内において遊技媒体が流通可能な流通領域と流通不能な非流通領域とに区画する枠状のセンター役物を有しており、非流通領域となるセンター役物の枠内を通して、後方に設けられている演出装置による演出画像や可動体等を視認できるようにしたものが提案されている（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２０１７−０７４４３４号公報
【手続補正６】
【補正対象書類名】明細書
【補正対象項目名】０００６
【補正方法】変更
【補正の内容】
【０００６】
このような遊技機におけるセンター役物では、その強度とセンター役物後方の装飾の視認性との両立ができていない場合、遊技興趣の低下を招くおそれがある。
そこで、本発明は、上記の実情に鑑み、遊技興趣の低下を抑制可能な遊技機の提供を課題とするものである。
【手続補正７】
【補正対象書類名】明細書
【補正対象項目名】０００７
【補正方法】変更
【補正の内容】
【０００７】
上記課題を解決するために本発明の遊技機は、
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記遊技板の前面と前後方向において同じ位置で延出される前記延設部の先端辺は、前記延設部が延出される箇所の前記センター役物の前記周壁部の形状と異なる形状を有し、
前記センター役物は、前記周壁部および前記フランジ部も透明な部材により構成され、前記流通領域と前記非流通領域とに跨る前記装飾を前記周壁部、前記フランジ部および前記延設部を介して視認可能である
ことを特徴とする。
【手続補正８】
【補正対象書類名】明細書
【補正対象項目名】０００８
【補正方法】変更
【補正の内容】
【０００８】
また、その他の手段として下記手段を採用してもよい。
手段１：遊技機において、
「遊技領域の外周を区画している透明枠状の前構成部材と、
該前構成部材よりも後側に設けられ、正面視において、前記遊技領域内から該遊技領域外まで延びており、全面に亘って連続した装飾を有している装飾体と
を具備している」
ものであることを特徴とする。
ここで、「遊技領域」としては、「遊技者の操作によって遊技媒体が打込まれ、遊技媒体の受入れに応じて遊技媒体の払出しを含む特典が付与される複数の受入口を有している領域」、「夫々に複数の図柄が備えられており、遊技媒体の投入を契機として遊技者の始動操作により夫々が回転させられると共に、遊技者の停止操作により停止した図柄の組合せに応じて遊技媒体の払出しを含む特典が付与される複数の回胴体が配置されている領域」、等が挙げられる。
【手続補正９】
【補正対象書類名】明細書
【補正対象項目名】００７１
【補正方法】変更
【補正の内容】
【００７１】
このように、本発明によれば、遊技の興趣の低下を抑制することが可能な遊技機を提供することができる。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記遊技板の前面と前後方向において同じ位置で延出される前記延設部の先端辺は、前記延設部が延出される箇所の前記センター役物の前記周壁部の形状と異なる形状を有し、
前記遊技板の前面と前後方向において同じ位置で延出される前記延設部は、前記周壁部から前記遊技板の厚さよりも薄い厚さで延出され、前記周壁部および前記フランジ部とともに一体成形されており、
前記センター役物は、前記周壁部および前記フランジ部も透明な部材により構成され、前記流通領域と前記非流通領域とに跨る前記装飾を前記周壁部、前記フランジ部および前記延設部を介して視認可能である
ことを特徴とする遊技機。
【手続補正２】
【補正対象書類名】明細書
【補正対象項目名】０００７
【補正方法】変更
【補正の内容】
【０００７】
上記課題を解決するために本発明の遊技機は、
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記遊技板の前面と前後方向において同じ位置で延出される前記延設部の先端辺は、前記延設部が延出される箇所の前記センター役物の前記周壁部の形状と異なる形状を有し、
前記遊技板の前面と前後方向において同じ位置で延出される前記延設部は、前記周壁部から前記遊技板の厚さよりも薄い厚さで延出され、前記周壁部および前記フランジ部とともに一体成形されており、
前記センター役物は、前記周壁部および前記フランジ部も透明な部材により構成され、前記流通領域と前記非流通領域とに跨る前記装飾を前記周壁部、前記フランジ部および前記延設部を介して視認可能である
ことを特徴とする遊技機。
【手続補正３】
【補正対象書類名】明細書
【補正対象項目名】０００８
【補正方法】変更
【補正の内容】
【０００８】
また、その他の手段として下記手段を採用してもよい。
手段１：遊技機において、
「前側に遊技領域が設けられている平板状の遊技パネルと、
該遊技パネルに取付けられ、前記遊技領域内を遊技媒体が流通可能な流通領域と流通不能な非流通領域とに区画する枠状のセンターフレームと
を具備し、
該センターフレームから前記非流通領域側へ延出している延設部を、
有している」ものであることを特徴とする。
ここで、「遊技パネル」としては、「透明板」、「不透明板」、等が挙げられ、材質としては、「合板（例えば、ベニヤ板）」、「集成材」、「金属板」、「アクリル樹脂板」、「ポリカーボネイト樹脂板」、「ＡＢＳ樹脂板」、「ポリプロピレン板」、「ポリアリレート樹脂板」、「メタクリル樹脂板」、「ガラス板」、等が挙げられる。また、「遊技パネル」としては、「一枚の板材により形成されているもの」、「前側に遊技領域が形成される板状のパネル板と、パネル板の外周を保持するパネルホルダと、から構成されているもの」、等が挙げられる。
【手続補正書】
【提出日】令和2年9月9日(2020.9.9)
【手続補正１】
【補正対象書類名】特許請求の範囲
【補正対象項目名】請求項２３
【補正方法】変更
【補正の内容】
【請求項２３】
請求項２１に記載された乳房撮影装置の制御方法または請求項２２に記載された線量計算方法の各工程をコンピュータに実行させるためのプログラム。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
ダイをダイシングテープの下から突き上げる突上げユニットと、
前記ダイを吸着するコレットと、
を備え、
前記突上げユニットは、
（ａ）前記ダイシングテープを介して前記ダイを突き上げるブロック部と、
（ｂ）前記ブロック部の外周に設けられ吸引孔を有する吸着部と、
（ｃ）前記ブロック部の外周部を中央部に向かって移動させその平面積を漸次減少させるよう構成される手段と、
を備える半導体製造装置。
【請求項２】
請求項１の半導体製造装置において、
前記ブロック部は、
（ａ１）外周から中央に向かってスライドする外周ブロックと、
（ａ２）前記外周ブロックより中央側に位置し平面視で多角形のリング状の中間ブロックと、
（ａ３）前記中間ブロックより中央側に位置し平面視で多角形状の中央ブロックと、
を有し、
前記手段は外周ブロックをスライドさせながら前記中間ブロックを下降させるよう構成される半導体製造装置。
【請求項３】
請求項２の半導体製造装置において、
前記手段は弾性体の復元力によって前記外周ブロックをスライドさせながら前記中間ブロックを下降させるよう構成される半導体製造装置。
【請求項４】
請求項２の半導体製造装置において、
前記手段はカム駆動によって前記外周ブロックをスライドさせながら前記中間ブロックを下降させるよう構成される半導体製造装置。
【請求項５】
請求項２の半導体製造装置において、
前記手段は電磁石と永久磁石の反発力によって前記外周ブロックをスライドさせながら前記中間ブロックを下降させるよう構成される半導体製造装置。
【請求項６】
請求項１の半導体製造装置において、
前記ブロック部は、
（ａ１）外周から中央に向かってスライドする外周ブロックと、
（ａ２）中央部に位置する電磁石と、
を有し、
前記手段は前記電磁石の電磁力によって前記外周ブロックをスライドさせるよう構成される半導体製造装置。
【請求項７】
請求項１の半導体製造装置において、
前記ブロック部は、
（ａ１）外周から中央に向かって移動するブロック、球または針で構成される外周部と、
（ａ２）前記外周部を被うシートと、
を有し、
前記手段は前記シートによって外周部にテンションをかけて前記外周部を移動させるよう構成される半導体製造装置。
【請求項８】
請求項１の半導体製造装置において、
前記ブロック部は電圧または熱などで伸縮する高分子材料で構成され、
前記手段は電圧または熱を加えて前記高分子材料を縮ませるよう構成される半導体製造装置。
【請求項９】
請求項１の半導体製造装置において、
前記ブロック部はルーローの三角形構造ブロックで構成され、
前記手段は前記ルーローの三角形構造ブロックをダイ外周付近から少しずつ中央部に近づけるように回転運動を行わせるよう構成される半導体製造装置。
【請求項１０】
請求項１の半導体製造装置において、
前記ダイはさらに前記ダイと前記ダイシングテープとの間にダイアタッチフィルムを備える半導体製造装置。
【請求項１１】
請求項１の半導体製造装置において、さらに、
前記コレットが装着されるピックアップヘッドを備える半導体製造装置。
【請求項１２】
請求項１１の半導体製造装置において、さらに、
前記ピックアップヘッドでピックアップされるダイを載置する中間ステージと、
前記中間ステージに載置されるダイを基板または既にボンディングされているダイの上にボンディングするボンディングヘッドと、
を備える半導体製造装置。
【請求項１３】
請求項１の半導体製造装置において、さらに、
前記コレットが装着されるボンディングヘッドを備える半導体製造装置。
【請求項１４】
請求項１の半導体製造装置において、
前記ブロック部は、
（ａ１）前記ダイの長辺または短辺に沿って列を成して配置され、対向する外周の２辺から中央に向かってスライドする平面視で矩形状の外周ブロックと、
（ａ２）前記外周ブロックより中央側に位置し、平面視で矩形状の少なくとも一組の中間ブロックと、
（ａ３）前記一組の中間ブロックより中央側に位置し平面視で矩形状の中央ブロックと、
を有し、
前記手段は前記外周ブロックを中央方向にスライドさせながら前記一組の中間ブロックを下降させるよう構成される半導体製造装置。
【請求項１５】
請求項１４の半導体製造装置において、
前記手段は弾性体の復元力によって前記外周ブロックをスライドさせながら前記中間ブロックを下降させるよう構成される半導体製造装置。
【請求項１６】
請求項１４の半導体製造装置において、
前記手段はカム駆動によって前記外周ブロックをスライドさせながら前記中間ブロックを下降させるよう構成される半導体製造装置。
【請求項１７】
請求項１４の半導体製造装置において、
前記手段は電磁石と永久磁石の反発力によって前記外周ブロックをスライドさせながら前記中間ブロックを下降させるよう構成される半導体製造装置。
【請求項１８】
（ａ）請求項１乃至１７の何れか１項の半導体製造装置を準備する工程と、
（ｂ）ダイを有するダイシングテープを保持するウェハリングを準備する工程と、
（ｃ）前記基板を準備する工程と、
（ｄ）前記突き上げユニットで前記ダイを突き上げて前記コレットで前記ダイをピックアップする工程と、
を有し、
前記（ｄ）工程は、前記コレットが前記ダイを吸着している間、前記ブロック部の外周部を中央部に向かって移動させその平面積を漸次減少させる半導体装置の製造方法。
【請求項１９】
請求項１８の半導体装置の製造方法において、さらに、
（ｅ）前記ダイを基板または既にボンディングされているダイの上にボンディングする工程を備える半導体装置の製造方法。
【請求項２０】
請求項１９の半導体装置の製造方法において、
前記（ｄ）工程はさらに前記ピックアップしたダイを中間ステージに載置する工程を有し、
前記（ｅ）工程はさらに前記中間ステージから前記ダイをピックアップする工程を有する半導体装置の製造方法。
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
機能性チップを備える基板を化学機械的に研磨する方法であって、
基板に機能性チップを配置するステップと、
前記基板に終点検知要素を配置するステップと、
前記終点検知要素を、接着剤により機能性チップの上面に固定するステップと、
前記機能性チップおよび前記終点検知要素が配置された基板を絶縁材で封止するステップと、
前記絶縁材を研磨するステップと、
前記絶縁材を研磨しているときに、前記終点検知要素に基づいて研磨の終点を検知するステップと、を有する、
方法。
【請求項２】
請求項１に記載の方法であって、
前記終点検知要素は、反射要素を有し、
前記反射要素に光を照射するステップと、
前記反射要素から反射された光を受光するステップと、を有する、
方法。
【請求項３】
請求項１または２に記載の方法であって、
前記終点検知要素は、基板上に構成される機能に無関係なダミー要素を有する、
方法。
【請求項４】
請求項１乃至３のいずれか一項に記載の方法であって、
前記絶縁材の上に金属層を形成するステップと、
前記金属層を研磨するステップと、を有し、
前記金属層を研磨するときに、
（１）渦電流センサによる渦電流の変化、
（２）光学式センサにより金属層からの反射光の変化、
（３）研磨抵抗の変化、
の少なくとも１つに基づいて研磨の終点を検知する、
方法。
【請求項５】
請求項１乃至３のいずれか一項に記載の方法であって、
前記絶縁材の上にバリアモールド層を形成するステップと、
前記バリアモールド層の上に金属層を形成するステップと、
前記金属層を研磨するときに、
（１）渦電流センサによる渦電流の変化、
（２）光学式センサにより金属層からの反射光の変化、
（３）研磨抵抗の変化、
の少なくとも１つに基づいて研磨の終点を検知する、
方法。
【請求項６】
請求項１乃至５のいずれか一項に記載の方法であって、
絶縁材の研磨をした後に、絶縁材に配線用の加工を施すステップと、
加工された絶縁材の表面に、親水性を向上させるための表面処理を施すステップと、を有する、
方法。
【請求項７】
機能性チップを備える基板を化学機械的に研磨する方法であって、
基板は、機能性チップおよび終点検知要素が配置され、且つ、絶縁材で封止された状態であり、
前記終点検知要素は、接着剤により機能性チップの上面に固定されており、
前記方法は、
前記絶縁材を研磨するステップと、
前記絶縁材を研磨しているときに、前記終点検知要素に基づいて研磨の終点を検知するステップと、を有する、
方法。
【請求項８】
請求項７に記載の方法であって、
前記終点検知要素は、反射要素を有し、
前記反射要素に光を照射するステップと、
前記反射要素から反射された光を受光するステップと、を有する、
方法。
【請求項９】
請求項７または８に記載の方法であって、
前記終点検知要素は、基板上に構成される機能に無関係なダミー要素を有する、
方法。
【請求項１０】
請求項７乃至９のいずれか一項に記載の方法であって、
前記基板は、前記絶縁材の上に金属層が形成された状態であり、
前記金属層を研磨するステップ、を有し、
前記金属層を研磨するときに、
（１）渦電流センサによる渦電流の変化、
（２）光学式センサにより金属層からの反射光の変化、
（３）研磨抵抗の変化、
の少なくとも１つに基づいて研磨の終点を検知する、
方法。
【請求項１１】
請求項７乃至１０のいずれか一項に記載の方法であって、
前記基板は、前記絶縁材の上にバリアモールド層が形成され、さらに、前記バリアモールド層の上に金属層が形成された状態であり、
前記金属層を研磨するときに、
（１）渦電流センサによる渦電流の変化、
（２）光学式センサにより金属層からの反射光の変化、
（３）研磨抵抗の変化、
の少なくとも１つに基づいて研磨の終点を検知する、
方法。
【請求項１２】
基板研磨装置の動作を制御するための制御装置により実行されたときに、前記制御装置が前記基板研磨装置を制御して、請求項１乃至１１の何れか一項に記載の方法を実行させるプログラムが記録された、コンピュータ読み取り可能な記録媒体。
【請求項１３】
コンピュータを含む制御装置に請求項１乃至１１の何れか一項に記載の方法を実行させるプログラム。
【請求項１４】
基板であって、
機能性チップと、
前記機能性チップを覆う絶縁材と、
終点検知要素と、を有し、
前記終点検知要素は、接着剤により機能性チップの上面に固定されている、
基板。
【請求項１５】
請求項１４に記載の基板であって、
前記終点検知要素は、反射要素を有する、
基板。
【請求項１６】
請求項１４または１５に記載の基板であって、
前記終点検知要素は、基板上に構成される機能に無関係なダミー要素を有する、
基板。
【請求項１７】
請求項１４乃至１６のいずれか一項に記載の基板であって、
前記絶縁材の上に金属層が形成されている、
基板。
【請求項１８】
請求項１４乃至１６のいずれか一項に記載の基板であって、
前記絶縁材の上にバリアモールド層が形成されており、さらに、前記バリアモールド層の上に金属層が形成されている、
基板。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
磁化方向が変化する強磁性金属層と、
前記強磁性金属層の積層方向に対して交差する第１の方向に延在し、前記強磁性金属層に接合するスピン軌道トルク配線と、
前記スピン軌道トルク配線の前記強磁性金属層と反対側の面から交差する方向に延在し、半導体回路に接続される２つのビア配線と、
前記ビア配線と前記スピン軌道トルク配線との間に平坦化層と、を備え、
前記２つのビア配線の前記第１の方向におけるビア間距離は、前記強磁性金属層の前記第１の方向における幅より短く、
前記平坦化層がＴｉ又はＴａを含む窒化物である、スピン軌道トルク型磁化反転素子。
【請求項２】
磁化方向が変化する強磁性金属層と、
前記強磁性金属層の積層方向に対して交差する第１の方向に延在し、前記強磁性金属層に接合するスピン軌道トルク配線と、
前記スピン軌道トルク配線の前記強磁性金属層と反対側の面から交差する方向に延在し、半導体回路に接続される２つのビア配線と、を備え、
前記２つのビア配線の前記第１の方向におけるビア間距離は、前記強磁性金属層の前記第１の方向における幅より短く、
前記強磁性金属層が積層される積層面において、前記２つのビア配線と、前記２つのビア配線の間を絶縁する層間絶縁部とのビッカース硬度差が３ＧＰａ以下である、スピン軌道トルク型磁化反転素子。
【請求項３】
前記ビア配線と前記スピン軌道トルク配線との間に平坦化層をさらに備える、請求項２に記載のスピン軌道トルク型磁化反転素子。
【請求項４】
前記平坦化層がＴｉ又はＴａを含む窒化物である、請求項３に記載のスピン軌道トルク型磁化反転素子。
【請求項５】
前記強磁性金属層が積層される積層面において、前記２つのビア配線と、前記２つのビア配線の間を絶縁する層間絶縁部とのビッカース硬度差が３ＧＰａ以下である、請求項１に記載のスピン軌道トルク型磁化反転素子。
【請求項６】
前記スピン軌道トルク配線は、積層方向に積層構造を有し、
前記スピン軌道トルク配線の前記強磁性金属層側の第１層の抵抗値は、前記ビア配線側の第２層の抵抗値より低い、請求項１〜５のいずれか一項に記載のスピン軌道トルク型磁化反転素子。
【請求項７】
前記強磁性金属層の前記スピン軌道トルク配線と反対側の面に、非磁性層と、前記強磁性金属層に対して磁化の向きが固定された磁化固定層とをさらに備える、請求項１〜６のいずれか一項に記載のスピン軌道トルク型磁化反転素子。
【請求項８】
前記強磁性金属層を積層方向から平面視した際の面積が、前記磁化固定層を積層方向から平面視した際の面積より大きい、請求項７に記載のスピン軌道トルク型磁化反転素子。
【請求項９】
請求項１〜８のいずれか一項に記載のスピン軌道トルク型磁化反転素子を複数備える磁気メモリ。
【請求項１０】
磁化方向が変化する強磁性金属層と、
前記強磁性金属層の積層方向に対して交差する第１の方向に延在し、前記強磁性金属層に接合するスピン軌道トルク配線と、
前記スピン軌道トルク配線の前記強磁性金属層と反対側の面から交差する方向に平坦化層を介して延在し、半導体回路に接続される２つのビア配線と、を備え、
前記２つのビア配線の前記第１の方向におけるビア間距離は、前記強磁性金属層の前記第１の方向における幅より短く、
前記平坦化層がＴｉ又はＴａを含む窒化物である、スピン軌道トルク型磁化反転素子。
【手続補正書】
【提出日】令和2年7月30日(2020.7.30)
【手続補正１】
【補正対象書類名】明細書
【補正対象項目名】０００９
【補正方法】変更
【補正の内容】
【０００９】
（３）密着強化部は、基板の一面上のヒドロキシ基がトリメチルシロキシ基に変化するように密着強化剤を基板の一面に供給し、照射部は、基板の一面上のトリメチルシロキシ基がヒドロキシ基とヘキサメチルジシロキサンとに分離するように、基板の一面に紫外線を照射してもよい。この場合、基板の一面の疎水性を適切に調整することができる。
【手続補正２】
【補正対象書類名】明細書
【補正対象項目名】００１８
【補正方法】変更
【補正の内容】
【００１８】
（１０）密着強化剤を供給するステップは、基板の一面上のヒドロキシ基をトリメチルシロキシ基に変化させることを含み、紫外線を照射するステップは、基板の一面上のトリメチルシロキシ基をヒドロキシ基とヘキサメチルジシロキサンとに分離させることを含んでもよい。この場合、基板の一面の疎水性を適切に調整することができる。
【手続補正３】
【補正対象書類名】明細書
【補正対象項目名】００６４
【補正方法】変更
【補正の内容】
【００６４】
図５（ｃ）に示すように、全面露光処理によって基板Ｗの被処理面に紫外線が照射されると、雰囲気中の水蒸気（Ｈ２Ｏ）が一部のトリメチルシロキシ基（−ＯＳｉ（ＣＨ３）３）と反応する。それにより、トリメチルシロキシ基（−ＯＳｉ（ＣＨ３）３）がヒドロキシル基（−ＯＨ）とヘキサメチルジシロキサン（Ｏ［Ｓｉ（ＣＨ３）３］２）とに分離する。これにより、基板Ｗの被処理面の疎水性が低下する。
【手続補正４】
【補正対象書類名】明細書
【補正対象項目名】０１２１
【補正方法】変更
【補正の内容】
【０１２１】
また、本実施の形態では、密着強化処理によって基板Ｗの被処理面上のヒドロキシ基がトリメチルシロキシ基に変化し、その後の全面露光処理によって基板Ｗの一面上のトリメチルシロキシ基がヒドロキシ基とヘキサメチルジシロキサンに分離される。これにより、基板Ｗの被処理面の疎水性を適切に調整することができる。
【手続補正５】
【補正対象書類名】特許請求の範囲
【補正対象項目名】全文
【補正方法】変更
【補正の内容】
【特許請求の範囲】
【請求項１】
基板の一面に有機材料からなる密着強化剤を供給する密着強化部と、
前記密着強化部により前記密着強化剤が供給された基板の前記一面に紫外線を照射する照射部と、
前記照射部により紫外線が照射された基板の前記一面に処理液を供給することにより基板の前記一面に処理膜を形成する成膜部とを備えた、基板処理装置。
【請求項２】
前記有機材料は、ヘキサメチルジシラザンを含む、請求項１記載の基板処理装置。
【請求項３】
前記密着強化部は、基板の前記一面上のヒドロキシ基がトリメチルシロキシ基に変化するように前記密着強化剤を基板の前記一面に供給し、
前記照射部は、基板の前記一面上のトリメチルシロキシ基がヒドロキシ基とヘキサメチルジシロキサンとに分離するように、基板の前記一面に紫外線を照射する、請求項１または２記載の基板処理装置。
【請求項４】
前記処理液は、感光性材料を含む、請求項１〜３のいずれか一項に記載の基板処理装置。
【請求項５】
前記照射部は、基板の前記一面における前記処理液に対する接触角が予め定められた値以下となるように、紫外線の照射量を調整する、請求項１〜４のいずれか一項に記載の基板処理装置。
【請求項６】
前記照射部により紫外線が照射された後であって前記成膜部により前記処理膜が形成される前の基板を冷却する冷却部をさらに備える、請求項１〜５のいずれか一項に記載の基板処理装置。
【請求項７】
前記密着強化部は、基板が載置される載置部を含み、
基板を保持しつつ前記載置部上に基板を受け渡すための受け渡し位置と前記受け渡し位置から離れた外部位置との間で移動可能に設けられた搬送部をさらに備え、
前記密着強化部は、前記載置部に載置される基板に密着強化剤を供給し、
前記照射部は、前記搬送部が基板を保持して前記受け渡し位置から前記外部位置に移動する際に前記搬送部により保持される基板に紫外線を照射する、請求項１〜６のいずれか一項に記載の基板処理装置。
【請求項８】
基板の一面に有機材料からなる密着強化剤を供給するステップと、
前記密着強化部により前記密着強化剤が供給された基板の前記一面に紫外線を照射するステップと、
照射部により紫外線が照射された基板の前記一面に処理液を供給することにより基板の前記一面に処理膜を形成するステップとを含む、基板処理方法。
【請求項９】
前記有機材料は、ヘキサメチルジシラザンを含む、請求項８記載の基板処理方法。
【請求項１０】
前記密着強化剤を供給するステップは、基板の前記一面上のヒドロキシ基をトリメチルシロキシ基に変化させることを含み、
前記紫外線を照射するステップは、基板の前記一面上のトリメチルシロキシ基をヒドロキシ基とヘキサメチルジシロキサンとに分離させることを含む、請求項８または９記載の基板処理方法。
【請求項１１】
前記処理液は、感光性材料を含む、請求項８〜１０のいずれか一項に記載の基板処理方法。
【請求項１２】
前記紫外線を照射するステップは、基板の前記一面における前記処理液に対する接触角が予め定められた値以下となるように、紫外線の照射量を調整することを含む、請求項８〜１１のいずれか一項に記載の基板処理方法。
【請求項１３】
前記紫外線を照射するステップの後であって前記処理膜を形成するステップの前に基板を冷却するステップをさらに含む、請求項８〜１２のいずれか一項に記載の基板処理方法。
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
げっ歯類であって、そのゲノムが、
ヒト化ＳＩＲＰα遺伝子を形成するための、内因性げっ歯類ＳＩＲＰα遺伝子座におけるげっ歯類ＳＩＲＰα遺伝子のエクソン２、３および４の、ヒトＳＩＲＰα遺伝子のエクソン２、３および４による置き換え
を含み、
前記ヒト化ＳＩＲＰα遺伝子は、前記内因性げっ歯類ＳＩＲＰα遺伝子座においてげっ歯類ＳＩＲＰαプロモーターに作動可能に連結され、かつ前記げっ歯類において、前記ヒトＳＩＲＰα遺伝子によってコードされたヒトＳＩＲＰαタンパク質の細胞外部分および前記げっ歯類ＳＩＲＰα遺伝子によってコードされたげっ歯類ＳＩＲＰαタンパク質の細胞内部分を含むヒト化ＳＩＲＰαタンパク質を発現し、そして、前記げっ歯類がラットである、げっ歯類。
【請求項２】
前記ヒト化ＳＩＲＰα遺伝子が、前記げっ歯類ＳＩＲＰα遺伝子のエクソン１、５、６、７および８を含む、請求項１に記載のげっ歯類。
【請求項３】
前記ヒトＳＩＲＰαタンパク質の細胞外部分が、配列番号４に示されるアミノ酸配列のアミノ酸２８〜３６２を含む、請求項１または２に記載のげっ歯類。
【請求項４】
げっ歯類ＳＩＲＰαタンパク質を発現しない、請求項１〜３のいずれか一項に記載のげっ歯類。
【請求項５】
単離されたげっ歯類細胞または組織であって、そのゲノムが、
ヒト化ＳＩＲＰα遺伝子を形成するための、内因性げっ歯類ＳＩＲＰα遺伝子座におけるげっ歯類ＳＩＲＰα遺伝子のエクソン２、３および４の、ヒトＳＩＲＰα遺伝子のエクソン２、３および４による置き換え
を含み、
前記ヒト化ＳＩＲＰα遺伝子は、前記内因性げっ歯類ＳＩＲＰα遺伝子座においてげっ歯類ＳＩＲＰαプロモーターに作動可能に連結され、かつ前記ヒトＳＩＲＰα遺伝子によってコードされたヒトＳＩＲＰαタンパク質の細胞外部分および前記げっ歯類ＳＩＲＰα遺伝子によってコードされたげっ歯類ＳＩＲＰαタンパク質の細胞内部分を含むヒト化ＳＩＲＰαタンパク質をコードし、そして、前記単離されたげっ歯類細胞または組織がラット細胞または組織である、単離されたげっ歯類細胞または組織。
【請求項６】
前記ヒト化ＳＩＲＰα遺伝子が、前記げっ歯類ＳＩＲＰα遺伝子のエクソン１、５、６、７および８を含む、請求項５に記載の単離されたげっ歯類細胞または組織。
【請求項７】
げっ歯類ＳＩＲＰαタンパク質を発現しない、請求項５または６に記載の単離されたげっ歯類細胞または組織。
【請求項８】
前記単離されたげっ歯類細胞がラット胚性幹細胞である、請求項５〜７のいずれか一項に記載の単離されたげっ歯類細胞または組織。
【請求項９】
げっ歯類を作製する方法であって、前記方法は、以下：
（ａ）げっ歯類胚性幹（ＥＳ）細胞中の内因性げっ歯類ＳＩＲＰα遺伝子座におけるげっ歯類ＳＩＲＰα遺伝子のエクソン２、３および４を、ヒトＳＩＲＰα遺伝子のエクソン２、３および４により置き換えて、ヒト化ＳＩＲＰα遺伝子を形成し、それにより前記ヒト化ＳＩＲＰα遺伝子を含む改変されたげっ歯類ＥＳ細胞を取得するステップであって、前記ヒト化ＳＩＲＰα遺伝子は、前記内因性げっ歯類ＳＩＲＰα遺伝子座においてげっ歯類ＳＩＲＰαプロモーターに作動可能に連結され、かつ前記ヒトＳＩＲＰα遺伝子によってコードされたヒトＳＩＲＰαタンパク質の細胞外部分および前記げっ歯類ＳＩＲＰα遺伝子によってコードされたげっ歯類ＳＩＲＰαタンパク質の細胞内部分を含むヒト化ＳＩＲＰαタンパク質をコードし、そして、前記げっ歯類ＥＳ細胞がラットＥＳ細胞である、ステップ；ならびに
（ｂ）（ａ）で取得された改変されたげっ歯類ＥＳ細胞を使用してげっ歯類を創出するステップであって、前記げっ歯類がラットである、ステップ
を含む、方法。
【請求項１０】
ヒト造血細胞をげっ歯類中に生着させる方法であって、前記方法は、以下：
（ａ）請求項１〜４のいずれか一項に記載のげっ歯類を提供するステップ；および
（ｂ）１または複数のヒト造血細胞を前記げっ歯類中に移植するステップ
を含む、方法。
【請求項１１】
以下：
（ａ）１または複数のげっ歯類細胞を提供するステップであって、前記細胞のゲノムが、ヒト化ＳＩＲＰα遺伝子を形成するための、内因性げっ歯類ＳＩＲＰα遺伝子座におけるげっ歯類ＳＩＲＰα遺伝子のエクソン２、３および４の、ヒトＳＩＲＰα遺伝子のエクソン２、３および４による置き換えを含み、前記ヒト化ＳＩＲＰα遺伝子は、前記内因性げっ歯類ＳＩＲＰα遺伝子座においてげっ歯類ＳＩＲＰαプロモーターに作動可能に連結され、かつ前記ヒトＳＩＲＰα遺伝子によってコードされたヒトＳＩＲＰαタンパク質の細胞外部分および前記げっ歯類ＳＩＲＰα遺伝子によってコードされたげっ歯類ＳＩＲＰαタンパク質の細胞内部分を含むヒト化ＳＩＲＰαタンパク質をコードし、そして、前記１または複数のげっ歯類細胞がラット細胞である、ステップ；
（ｂ）ステップ（ａ）の１または複数の細胞を、標識された基質と共にインキュベートするステップ；ならびに
（ｃ）ステップ（ｂ）の１または複数の細胞による標識された前記基質の食作用を測定するステップ
を含む、方法。
【請求項１２】
以下：
（ａ）請求項１〜４のいずれか一項に記載のげっ歯類を提供するステップ；
（ｂ）前記げっ歯類を抗原に曝露させるステップ；および
（ｃ）前記げっ歯類の１または複数の細胞による前記抗原の食作用を測定するステップを含む、方法。
【請求項１３】
ヒトがん細胞を標的化する薬物候補の治療効力を評価する方法であって、前記方法は、以下：
（ａ）請求項１〜４のいずれか一項に記載のげっ歯類を提供するステップ；
（ｂ）１または複数のヒトがん細胞を前記げっ歯類中に移植するステップ；
（ｃ）前記ヒトがん細胞を標的化する薬物候補を前記げっ歯類に投与するステップ；および
（ｄ）前記げっ歯類中の前記ヒトがん細胞をモニタリングして、前記薬物候補の治療効力を決定するステップ
を含む、方法。